(57)【要約】      （修正有）【課題】強度があり、フォークリフトで取り出す時のフォークの食い込みを防止できる複数の梁部材が配置された棚台を備えるパレット用支持棚を提供する。【解決手段】パレット用支持棚１は、四隅に立設された４本の支柱と、４本の支柱間に配置された棚台１０と、を備え、棚台は、両側辺梁部材１２、１４と、前辺梁部材１６と、後辺梁部材１８と、中央横梁部材２０と、中央縦梁部材２２と、一対の第１の補強梁部材であって、各々の一端部が中央縦梁部材の前後方向のほぼ中央位置の中央横梁部材の近傍に結合されているとともに、各々の他端部が両側辺梁部材の各後端部側に結合されて、平面視で概ねＶ字形の形状に配置された一対の第１の補強梁部材２４と、平面視で概ねＶ字形の形状に配置された一対の第２の補強梁部材２６とを有する。【選択図】図１
0003219511.tif 000002
【実用新案登録請求の範囲】
【請求項１】
平面視で概ね矩形の形状に形成されたパレット用支持棚であって、
該パレット用支持棚の四隅に立設された４本の支柱と、
上記４本の支柱間に配置された棚台と、
を備えるパレット用支持棚において、
上記棚台は、
前側の左右の支柱と後側の左右の支柱との間に前後方向に延在する両側辺梁部材と、
上記前側の左右の支柱間に横方向に延在する前辺梁部材と、
上記後側の左右の支柱間に横方向に延在する後辺梁部材と、
上記両側辺梁部材の前後方向のほぼ中央位置に横方向に延在し、上記両側辺梁部材間を連結している中央横梁部材と、
上記前辺梁部材と上記後辺梁部材の左右方向のほぼ中央位置に前後方向に延在し、上記前辺梁部材と上記後辺梁部材とを連結している中央縦梁部材と、
一対の第１の補強梁部材であって、該第１の補強梁部材の各々の一端部が上記中央縦梁部材の前後方向のほぼ中央位置の上記中央横梁部材の近傍に結合されているとともに、各々の他端部が上記両側辺梁部材の各後端部側に結合されて、平面視で概ねＶ字形の形状に配置された一対の第１の補強梁部材と、
一対の第２の補強梁部材であって、該第２の補強梁部材の各々の一端部が上記中央縦梁部材の前後方向の前側位置の上記前辺梁部材に隣接して結合されているとともに、各々の他端部が上記両側辺梁部材の各前端部側に結合されて、平面視で概ねＶ字形の形状に配置された一対の第２の補強梁部材と、
を有する、パレット用支持棚。
【請求項２】
平面視で概ね矩形の形状に形成されたパレット用支持棚であって、
該パレット用支持棚の四隅に立設された４本の支柱と、
上記４本の支柱間に配置された棚台と、
を備えるパレット用支持棚において、
上記棚台は、
前側の左右の支柱と後側の左右の支柱との間に前後方向に延在する両側辺梁部材と、
上記前側の左右の支柱間に横方向に延在する前辺梁部材と、
上記後側の左右の支柱間に横方向に延在する後辺梁部材と、
上記両側辺梁部材の前後方向のほぼ中央位置に横方向に延在し、上記両側辺梁部材間を連結している中央横梁部材と、
上記前辺梁部材と上記後辺梁部材の左右方向のほぼ中央位置に前後方向に延在し、上記前辺梁部材と上記後辺梁部材とを連結している中央縦梁部材と、
一対の第１の補強梁部材であって、該第１の補強梁部材の各々の一端部が上記中央縦梁部材の前後方向のほぼ中央位置の上記中央横梁部材の近傍に結合されているとともに、各々の他端部が上記両側辺梁部材の各後端部側に結合されて、平面視で概ねＶ字形の形状に配置された一対の第１の補強梁部材と、
一対の第２の補強梁部材であって、該第２の補強梁部材の各々の一端部が上記中央縦梁部材の前後方向の前側位置の上記前辺梁部材の近傍に結合されているとともに、各々の他端部が上記両側辺梁部材の各前端部側に結合されて、平面視で概ねＶ字形の形状に配置された一対の第２の補強梁部材と、
を有する、パレット用支持棚。
【考案の詳細な説明】
【技術分野】
【０００１】
本考案は、パレット用支持棚に関し、詳しくは、パレット用支持棚の機能を高めるように複数の梁部材が配置されているパレット用支持棚に関する。
【背景技術】
【０００２】
倉庫等において多数の物品を収納・管理するために、複数のパレット用支持棚が使用されている。そのようなパレット用支持棚は、倉庫等において入れ子式に積み重ねられて保管されるため、ネスティングラックとも呼ばれる。
【０００３】
パレット用支持棚の使用者は、入れ子（ネスティング）式に積み重ねられた複数のパレット用支持棚からフォークリフトを使って１つのパレット用支持棚を取り出そうとするときに、そのパレット用支持棚の物品載置部と、下段の支持棚の物品載置部との間にフォークを差し入れ、上段の支持棚の物品載置部下面をフォークで支えて持ち上げることによって１つのパレット用支持棚を取り出している。
【０００４】
しかし、入れ子式に積み重ねられた複数の支持棚からフォークリフトを使って１つの支持棚を取り出そうとするときに、フォークリフトのフォークが支持棚の梁部材間に食い込んでしまうことがある（図５は、フォークリフトのフォーク４００が従来のパレット用支持棚４０２の物品載置部における第１の横梁部材４０４と、第２の横梁部材４０６との間に食い込んでしまった状態を示している）。
【０００５】
また、従来のプラスチック製パレットはパレット用支持棚の棚台上において大きな荷重を受けると変形し、或いはコーナー部が破損してしまうという問題があった。
【０００６】
特許文献１に記載の物品収納ラック（パレット用支持棚）における棚体（棚台）は、概ね「Λ」形の形状に配置された第１の補助枠と、概ね「Ｖ」字形の形状に配置された第２の補助枠とを有することにより、プラスチック製パレットの変形、特にはパレットのコーナー部における変形を防いでいる。
【先行技術文献】
【特許文献】
【０００７】
【特許文献１】実用新案登録第３１９９４８３号公報
【考案の概要】
【考案が解決しようとする課題】
【０００８】
入れ子（ネスティング）式に積み上げられた複数のパレット用支持棚においては、物品載置部（棚台）と下段の支持棚の物品載置部（棚台）との隙間が狭く、フォークリフトの運転者からはその狭い隙間が見え難いために、取り出そうとするパレット用支持棚と下段にあるパレット用支持棚の物品載置部の隙間へフォークを差し入れたときに、物品載置部の梁部材間にフォークが食い込んでしまい、そのフォークが抜けなくなることがあった。
【課題を解決するための手段】
【０００９】
本考案の一実施例においては、平面視で概ね矩形の形状に形成されたパレット用支持棚であって、該パレット用支持棚の四隅に立設された４本の支柱と、４本の支柱間に配置された棚台と、を備えるパレット用支持棚において、棚台は、前側の左右の支柱と後側の左右の支柱との間に前後方向に延在する両側辺梁部材と、前側の左右の支柱間に横方向に延在する前辺梁部材と、後側の左右の支柱間に横方向に延在する後辺梁部材と、両側辺梁部材の前後方向のほぼ中央位置に横方向に延在し、両側辺梁部材間を連結している中央横梁部材と、前辺梁部材と後辺梁部材の左右方向のほぼ中央位置に前後方向に延在し、前辺梁部材と後辺梁部材とを連結している中央縦梁部材と、一対の第１の補強梁部材であって、該第１の補強梁部材の各々の一端部が中央縦梁部材の前後方向のほぼ中央位置の中央横梁部材の近傍に結合されているとともに、各々の他端部が両側辺梁部材の各後端部側に結合されて、平面視で概ねＶ字形の形状に配置された一対の第１の補強梁部材と、一対の第２の補強梁部材であって、該第２の補強梁部材の各々の一端部が中央縦梁部材の前後方向の前側位置の前辺梁部材に隣接して結合されているとともに、各々の他端部が両側辺梁部材の各前端部側に結合されて、平面視で概ねＶ字形の形状に配置された一対の第２の補強梁部材と、を有する、パレット用支持棚を提供する。
【００１０】
本考案の他の実施例においては、平面視で概ね矩形の形状に形成されたパレット用支持棚であって、該パレット用支持棚の四隅に立設された４本の支柱と、４本の支柱間に配置された棚台と、を備えるパレット用支持棚において、棚台は、前側の左右の支柱と後側の左右の支柱との間に前後方向に延在する両側辺梁部材と、前側の左右の支柱間に横方向に延在する前辺梁部材と、後側の左右の支柱間に横方向に延在する後辺梁部材と、両側辺梁部材の前後方向のほぼ中央位置に横方向に延在し、両側辺梁部材間を連結している中央横梁部材と、前辺梁部材と後辺梁部材の左右方向のほぼ中央位置に前後方向に延在し、前辺梁部材と後辺梁部材とを連結している中央縦梁部材と、一対の第１の補強梁部材であって、該第１の補強梁部材の各々の一端部が中央縦梁部材の前後方向のほぼ中央位置の中央横梁部材の近傍に結合されているとともに、各々の他端部が両側辺梁部材の各後端部側に結合されて、平面視で概ねＶ字形の形状に配置された一対の第１の補強梁部材と、一対の第２の補強梁部材であって、該第２の補強梁部材の各々の一端部が中央縦梁部材の前後方向の前側位置の前辺梁部材の近傍に結合されているとともに、各々の他端部が両側辺梁部材の各前端部側に結合されて、平面視で概ねＶ字形の形状に配置された一対の第２の補強梁部材と、を有する、パレット用支持棚を提供する。
【図面の簡単な説明】
【００１１】
【図１】一実施例におけるパレット用支持棚を示す斜視図。
【図２】パレットが載置されるべき棚台の平面図。
【図３】他の実施例におけるパレット用支持棚を示す斜視図。
【図４】パレットが載置されるべき棚台の平面図。
【図５】従来のパレット用支持棚の梁部材間にフォークリフトのフォークが食い込んだ状態を示す斜視図。
【考案を実施するための形態】
【００１２】
本考案のパレット用支持棚（以下、単に「支持棚１」ともいう）の一実施例について、添付の図面を参照しつつ説明する。なお、本明細書の説明においては、後辺梁部材１８から前辺梁部材１６へ向かう視線で支持棚１の「右側」と「左側」を規定している。
【００１３】
図１に示されるように、支持棚１の四隅に、支柱２、支柱４、支柱６、及び支柱８が立設されており、その支柱２、支柱４、支柱６、及び支柱８の間に、棚台１０が配置されている。
【００１４】
棚台１０の構成について説明すると、図２（ａ）に示されるように、一実施例における棚台１０は、支柱２、支柱４、支柱６及び支柱８の各々の間に延在する右側辺梁部材１２、左側辺梁部材１４、前辺梁部材１６、及び後辺梁部材１８を有する。また、右側辺梁部材１２と左側辺梁部材１４の前後方向における各々のほぼ中央位置に横方向に延在する右側辺梁部材１２と、左側辺梁部材１４とを連結している中央横梁部材２０を有し、また、前辺梁部材１６と後辺梁部材１８の左右方向における各々のほぼ中央位置に前後方向に延在する前辺梁部材１６と、上記後辺梁部材１８とを連結している中央縦梁部材２２を有している。
【００１５】
棚台１０にはさらに、一対の第１の補強梁部材２４と一対の第２の補強梁部材２６が設けられている。
【００１６】
第１の補強梁部材２４の各々は、その一端部が中央縦梁部材２２の前後方向のほぼ中央位置の中央横梁部材２０の近傍に結合されるとともに、各々の他端部が右側辺梁部材１２及び左側辺梁部材１４の後端部側（後辺梁部材１８付近）に結合されて、平面視で概ねＶ字形の形状となるように配置されている。
【００１７】
第２の補強梁部材２６の各々は、その一端部が中央縦梁部材２２の前後方向の前側位置の前辺梁部材１６に隣接して結合されているとともに、各々の他端部が右側辺梁部材１２及び左側辺梁部材１４の前端部側（中央横梁部材２０と前辺梁部材１６との間）に結合されて、平面視で概ねＶ字形の形状となるように配置されている。
【００１８】
図２（ｂ）は、図２（ａ）に示した棚台１０とは別の実施例における棚台１０を示す。棚台１０は、第２の補強梁部材２６の各々の一端部が、中央縦梁部材２２の前後方向の前側位置の前辺梁部材１６の近傍に結合している。
【００１９】
棚台１０に第１の補強梁部材２４と第２の補強梁部材２６が配置されていることにより、入れ子式に積み重ねられた複数の支持棚からフォークリフトを使って１つの支持棚を取り出そうとするときに、その支持棚の前辺梁部材１６の下を奥の方へ進入させるフォークリフトのフォーク２８（図２において一点鎖線で示されている）は、前辺梁部材１６を通過した後すぐに第２の補強梁部材２６の下を通過し、さらには中央横梁部材２０と第１の補強梁部材２４の下を通過して、後辺梁部材１８の近傍にまで進入する。
【００２０】
図３に示されている実施例においては、支持棚３００の上部に、パレットを載せるための棚台３０２が配置されている。棚台３０２の構成は、図１に示した棚台１０と同様である。すなわち、右側辺梁部材３０６、左側辺梁部材３０８、前辺梁部材３１０、後辺梁部材３１２、中央横梁部材３１４、中央縦梁部材３１６、第１の補強梁部材３１８、及び第２の補強梁部材３２０の各梁部材から構成されている。
【００２１】
図４は、棚台３０２上にパレット３０４(一点鎖線で示されている）が載せられているときの支持棚３００を示す。パレット３０４は、棚台３０２の中央横梁部材３１４、中央縦梁部材３１６、第１の補強梁部材３１８、及び第２の補強梁部材３２０によって安定よく支持され得る。特には、概ねＶ字形の形状に配置された一対の第１の補強梁部材３１８と、概ねＶ字形の形状に配置された一対の第２の補強梁部材３２０によってパレット３０４のコーナー部の近辺が支持されるので、パレット３０４が大きな積載荷重を受けたとしても変形することが少ない。
【００２２】
以上のように、本考案のパレット用支持棚においては、積み重ねられた複数の支持棚から１つの支持棚を取り出そうとする際に、フォークリフトのフォークが、第１の補強梁部材と第２の補強梁部材とに干渉されつつ後辺梁部材の近くまで進入できるので、従来のパレット用支持棚について生じていたフォークの食い込み（図５を参照）が生じてしまうことがほとんどない。また、概ねＶ字形の形状に配置された一対の第１の補強梁部材と、概ねＶ字形の形状に配置された一対の第２の補強梁部材によってパレットのコーナー部の近辺が支持されるので、パレットが大きな積載荷重を受けたとしても変形することが少ないという利点もある。
【符号の説明】
【００２３】
１…（パレット用）支持棚
２…支柱
４…支柱
６…支柱
８…支柱
１０…棚台
１２…右側辺梁部材
１４…左側辺梁部材
１６…前辺梁部材
１８…後辺梁部材
２０…中央横梁部材
２２…中央縦梁部材
２４…第１の補強梁部材
２６…第２の補強梁部材
２８…フォーク
３００…（パレット用）支持棚
３０２…棚台
３０４…パレット
３０６…右側辺梁部材
３０８…左側辺梁部材
３１０…前辺梁部材
３１２…後辺梁部材
３１４…中央横梁部材
３１６…中央縦梁部材
３１８…第１の補強梁部材
３２０…第２の補強梁部材
４００…フォーク（爪）
４０２…（パレット用）支持棚
４０４…第１の横梁部材
４０６…第２の横梁部材
【図１】
0003219511.tif 000003
【図２】
0003219511.tif 000004
【図３】
0003219511.tif 000005
【図４】
0003219511.tif 000006
【図５】
0003219511.tif 000007